(57)【要約】【課題】折畳式収納ボックスの下部に取り付け、収納ボックスの底面部の磨り減りを防止する。【解決手段】底面保護部材１０は保冷ボックスの下部に装着した状態で折り畳んで、保冷ボックスと共に圧縮可能とするために、折癖を付した複数本の折り畳み線を設けて、これらの折り畳み線に沿って折り畳みできるようにされている。  底面保護部材１０は１枚の矩形状の基板部１１から成り、基板部１１は柔軟性を有する合成樹脂等のシート材から形成されている。この基板部１１には一対の折り線１２が設けられ、主面部１３から両側の一対の側面部１４ａ、１４ｂが折り線１２により起立可能とされている。主面部１３の裏面には、長辺１５ａ、１５ｂ上の２本の滑動条材１７ａ、第３の折り畳み線１６ｃ上の滑動条材１７ｂ、第４の折り畳み線１６ｄ上の滑動条材１７ｃの計４本の滑動条材１７が設けられている。【選択図】図２
2017001730.tif 000002
【特許請求の範囲】
【請求項１】
収納ボックスの下部に装着し、該収納ボックスの折り畳みと共に折り畳み可能な底面保護部材であって、
１枚の矩形状の基板部の両短辺側に設けた折り線により、中央の主面部から一対の側面部を起立可能とし、前記主面部に前記基板部の長辺と平行する折り畳み線を設け、前記主面部の裏面には、前記主面部の両長辺及び該長辺と平行する前記折り畳み線上に耐摩耗性を有する滑動条材を取り付けたことを特徴とする折畳式収納ボックスの底面保護部材。
【請求項２】
前記折り畳み線は、前記主面部の前記側面部側に設け、前記第１の折り畳み線を底辺とする２つの三角形による斜辺による４本の第１の折り畳み線と、前記２つの三角形の頂点から前記底辺に向けた垂線から成る２本の第２の折り畳み線と、該第３の折り畳み線の延長上に合って前記頂点同士を結ぶ直線を第３の折り畳み線とから成り、
前記主面部の裏面において前記第２の折り畳み線上に前記滑動条材を取り付けたことを特徴とする請求項１に記載の折畳式収納ボックスの底面保護部材。
【請求項３】
前記折り畳み線は、更に主面部に前記基板部の長辺と平行に設けた第４の折り畳み線を含み、
前記主面部の裏面において前記第４の折り畳み線上に前記滑動条材を取り付けたことを特徴とする請求項２に記載の折畳式収納ボックスの底面保護部材。
【請求項４】
前記主面部の長辺側に一対の側面部を起立自在に設けたことを特徴とする請求項１〜３の何れか１項１又は２に記載の折畳式収納ボックスの底面保護部材。
【請求項５】
前記主面部の裏面において前記第３の折り畳み線上に前記滑動条材を取り付けたことを特徴とする請求項１〜４の何れか１項に記載の折畳式収納ボックスの底面保護部材。
【請求項６】
前記一対の側面部に前記収納ボックスに設けた面ファスナと接合する面ファスナを設け、前記収納ボックスに対し着脱自在としたことを特徴とする請求項１〜５の何れか１項に記載の折畳式収納ボックスの底面保護部材。
【請求項７】
前記収納ボックスは蓋面板、底面板、正面板、背面板、左側面板、右側面板から成り、前記底面板、左側面板、右側面板は内側に折曲可能とし、前記一対の側面部は前記収納ボックスの左側面板、右側面板と共に、前記主面部は前記収納ボックスの底面板と共に前記折り畳み線を基に重なり合った状態で装着され、折り畳み可能としたことを特徴とする請求項１〜６の何れか１項に記載の折畳式収納ボックスの底面保護部材。
【発明の詳細な説明】
【技術分野】
【０００１】
本発明は、例えば保冷食品等を収納する折畳式保冷ボックスの底面部に着脱自在に装着する折畳式収納ボックスの底面保護部材に関するものである。
【背景技術】
【０００２】
特許文献１には、内側に断熱パネルが配置された折り畳み式保冷ボックスが開示されており、ドライバは保冷食品を格納した保冷ボックスをトラック等の荷台に載せて搬送し、スーパーやコンビニ等の各店舗に保冷食品を配送している。
【０００３】
組み立てられた保冷ボックスは直方体状であり、複数個を積み重ねた状態でトラックの荷台に載せて配送される。また、保冷ボックスの側壁部には、ベルトから成る把手部が設けられており、トラックの荷台に保冷ボックスを格納及び搬出時に、ドライバは積み重ねられた保冷ボックスの最下段の保冷ボックスの把手部を引っ張って、引き擦った状態で荷台上を移動する。更に、トラックから降ろした後に、ドライバは把手部を持って、床面を引き擦って保冷ボックスを配達することになる。
【０００４】
保冷食品を収納した保冷ボックスは、ドライバにより保冷ボックスごと各店舗に配達され、保冷ボックスから取り出した保冷食品を冷蔵庫等に移動した後に、ドライバは保冷ボックスを折り畳んで持ち帰る。
【先行技術文献】
【特許文献】
【０００５】
【特許文献１】特開２０１１−５９７３９号公報
【発明の概要】
【発明が解決しようとする課題】
【０００６】
しかし、保冷ボックスは繰り返して使用するため、上述のように荷重をかけて引き擦った状態で、トラックの荷台や店舗内で移動を続けると、底面部が擦り切れ損傷するという問題がある。
【０００７】
使用当初では、保冷ボックスの外側のポリエチレン等から成る合成樹脂が擦れて破れる程度であるが、使用を継続してゆくと、更に内側の断熱パネルが露見し、断熱パネルが削れてしまうことになる。
【０００８】
更に使用を続けると、保冷ボックスの底面部に孔が穿き、外気が保冷ボックス内に進入して断熱効率が著しく低下することになる。このように、ボックスの外側が破損すると、保冷ボックス自体を廃棄する必要が生じ、使用コストが高くなるという問題がある。
【０００９】
本発明は、上述の課題を解消し、滑動部材を取り付け、磨り減りにより破損し難い構造とする折畳式収納ボックスの底面保護部材を提供することにある。
【課題を解決するための手段】
【００１０】
上記目的を達成するための本発明に係る折畳式収納ボックスの底面保護部材は、折畳式収納ボックスの下部に装着し、該収納ボックスの折り畳みと共に折り畳み可能な底面保護部材であって、１枚の矩形状の基板部の両短辺側に設けた折り線により、中央の主面部から一対の側面部を起立可能とし、前記主面部に前記基板部の長辺と平行する折り畳み線を設け、前記主面部の裏面には、前記主面部の両長辺及び該長辺と平行する前記折り畳み線上に耐摩耗性を有する滑動条材を取り付けたことを特徴とする。
【発明の効果】
【００１１】
本発明に係る折畳式収納ボックスの底面保護部材は、折畳式収納ボックスの下部に装着し、収納ボックスの底部を磨り減りから保護することができる。
【図面の簡単な説明】
【００１２】
【図１】保冷ボックスに底面保護部材を装着する前の斜視図である。
【図２】底面保護部材を裏返した状態の斜視図である。
【図３】保冷ボックスに底面保護部材を装着した状態の斜視図である。
【図４】保冷ボックスと共に底面保護部材を折り畳む過程の斜視図である。
【図５】変形例の底面保護部材を底面から見た斜視図である。
【図６】他の変形例の底面保護部材の斜視図である。
【発明を実施するための形態】
【００１３】
本発明を図示の実施例に基づいて詳細に説明する。
図１は折畳式保冷ボックスの下部の外側に底面保護部材を装着する前の斜視図である。
【００１４】
底面保護部材１０は１枚の矩形状の基板部１１から成り、基板部１１は柔軟性を有する合成樹脂等のシート材から形成されている。この基板部１１の短辺側には、短辺と平行に点線で示す表面側から見て谷折りとなる折癖が付され平行する一対の折り線１２が設けられ、これらの折り線１２の内側の主面部１３から、両側の一対の側面部１４ａ、１４ｂが折り線１２により起立可能とされている。
【００１５】
基板部１１の大きさは例えば長辺約８５ｃｍ、短辺約４５ｃｍ、厚さ約５ｍｍ程度であり、側面部１４ａ、１４ｂの立ち上がり高さは１０ｃｍ程度である。なお、基板部１１は断熱シート材を採用してもよく、底面保護部材１０の大きさは、装着すべき保冷ボックス２０の大きさに応じて適宜のサイズとすることができる。
【００１６】
底面保護部材１０は保冷ボックス２０の下部に装着した状態で折り畳んで、保冷ボックス２０と共に圧縮可能とするために、折癖を付した複数本の折り畳み線を設けて、これらの折り畳み線に沿って折り畳みできるようにされている。
【００１７】
即ち、折り線１２の一部を底辺とする両側の２つの三角形の斜辺で、山折りとなる４本の斜線から成る第１の折り畳み線１６ａと、これらの三角形の頂点を通り底辺に向けて垂線となる２本の谷折りとなる第２の折り畳み線１６ｂと、三角形の頂点同士を直線で結び山折りとなる１本の第３の折り畳み線１６ｃと、主面部１３においては、両側の長辺１５ａ、１５ｂと平行し、谷折りとなる第４の折り畳み線１６ｄとが形成されている。
【００１８】
２つの側面部１４ａ、１４ｂにおいては、両側の長辺１５ａ、１５ｂと平行し第４の折り畳み線１６ｄと連続し谷折りとなる第５の折り畳み線１６ｅと、第２の折り畳み線１６ｂに連続し長辺１５ａ、１５ｂと平行で山折りとなる第６の折り畳み線１６ｆとが形成されている。なお、図面において、谷折りは点線で示し、山折りは一点鎖線で示している。
【００１９】
図２に示すように、主面部１３の裏面には、長辺１５ａ、１５ｂ上の２本の滑動条材１７ａ、第３の折り畳み線１６ｃ上の滑動条材１７ｂ、第４の折り畳み線１６ｄ上の滑動条材１７ｃの計4本の滑動条材１７が設けられている。これらの滑動条材１７は硬質の合成樹脂等から成り、幅５ｍｍ、高さが５ｍｍ程度の例えば断面Ｔ字状の耐摩耗性を有する線状部材である。必要な長さに切断した滑動条材１７は、主面部１３の裏面に対して、縫合又は接着等の手段により取り付けられている。なお、滑動条材１７は実施例の形状に限らず、例えばベルト状の耐摩耗性を有する部材であってもよい。
【００２０】
これらの滑動条材１７は装着すべき保冷ボックス２０の折り畳み方に応じて、適宜の本数が配置されている。例えば、第４の折り畳み線１６ｄを設けずに、折り畳む三角形が第１の折り畳み線１６ａと折り線１２とで構成する場合には、長辺１５ａ、１５ｂに沿った２本の滑動条材１７ａと、第３の折り畳み線１６ｃ上の滑動条材１７ｂとの計３本の滑動条材１７を配置することになる。
【００２１】
側面部１４ａ、１４ｂの内表面側には、後述する保冷ボックス２０の側面に設けた固定面ファスナと接合する主固定面ファスナ１８が、側面部１４ａ、１４ｂの全面に渡って設けられている。また、主面部１３上の長辺１５ａ、１５ｂのそれぞれの略中央には、外側に向けて可撓性を有する取付バンド１９が配置されており、この取付バンド１９の表面先端には、保冷ボックス２０の側面に設けた後述する面ファスナと接合する副固定面ファスナ１９ａが設けられている。
【００２２】
保冷ボックス２０は例えば厚さ数ｍｍ程度の発泡シートの表面にアルミニウムを蒸着した柔軟な断熱シート２１により形成されている。保冷ボックス２０はこの断熱シート２１による正面板２２ａ、背面板２２ｂ、左側面板２２ｃ、右側面板２２ｄ、蓋面板２３、底面板２４により箱型に組み立てられている。なお、断熱シート２１の材料は、断熱効果のある材料を適宜に採用できる。
【００２３】
保冷ボックス２０の大きさは、例えば縦約６５ｃｍ、横約４５ｃｍ、高さ約６０ｃｍ程度である。断熱シート２１の周縁部は補強用、縫製用のテープ部材２５により縁取りされていると共に、連結する正面板２２ａ、背面板２２ｂ、左側面板２２ｃ、右側面板２２ｄ同士の間も同様にテープ部材２５を用いて縫製されている。背面板２２ｂの上端には蓋面板２３が開閉自在にテープ部材２５により取り付けられ、正面板２２ａ、背面板２２ｂ、左側面板２２ｃ、右側面板２２ｄの下端も同様にテープ部材２５により底面板２４に縫合されている。
【００２４】
蓋面板２３の大きさは、正面板２２ａ、背面板２２ｂ、左側面板２２ｃ、右側面板２２ｄによる矩形状の開口部よりも若干大きくされている。蓋面板２３の先端部には、正面板２２ａの上縁部を被さる覆い片２３ａが設けられ、覆い片２３ａの内面には、正面板２２ａの上端に設けられた帯状の開閉用面ファスナ２２ｅと接合する開閉用面ファスナ２３ｂが帯状に設けられている。
【００２５】
また、蓋面板２３と背面板２２ｂとが接続する屈曲部の中央には、後述する折り畳み時に開閉用面ファスナ２２ｅと接合する折り畳み用面ファスナ２３ｃを備えた折り畳み保持バンド２３ｄが取り付けられている。
【００２６】
左側面板２２ｃ、右側面板２２ｄには、下辺に沿って帯状の連結用面ファスナ２２ｆ、上辺に沿って連結片２２ｇが取り付けられ、左側面板２２ｃ、右側面板２２ｄの中央にはベルト状の把持部２２ｈが縫合等により取り付けられている。また、連結片２２ｇの表面には帯状の連結用面ファスナ２２ｉが設けられている。更に、正面板２２ａ、背面板２２ｂの外面の下端中央には、固定面ファスナ２２ｊが設けられている。
【００２７】
なお、保冷ボックス２０を積み重ねる場合に、底面保護部材１０は最下段の保冷ボックス２０のみに取り付ければよい。積み上げた保冷ボックス２０には、底面保護部材１０を装着していないこともあるので、使用しない連結用面ファスナ２２ｆには下段の保冷ボックス２０の連結片２２ｇの連結用面ファスナ２２ｉを接合させて固定することができ、荷崩れを防止できる。
【００２８】
保冷ボックス２０の正面板２２ａ、背面板２２ｂ、蓋面板２３の各内面には、発泡スチロール等の断熱材から成り、例えば厚さ３ｃｍの板状の断熱パネル２６ａ、２６ｂ、２６ｃがそれぞれ貼り付けられている。また、左側面板２２ｃ、右側面板２２ｄ、底面板２４の各内面を覆うと共に、取り外し自在とされた同様の断熱パネル２６ｄ、２６ｅ、２６ｆが、断熱パネル２６ｂの左端辺、右端辺、下端辺を軸にして折り畳めるように配置されている。
【００２９】
蓋面板２３を閉止し、開閉用面ファスナ２３ｂと正面板２２ａの開閉用面ファスナ２２ｅとを接合することで、保冷ボックス２０内は断熱パネル２６ａ〜２６ｆで囲まれた密閉状態になり、断熱パネル２６ａ〜２６ｆの端辺同士が互いに接し、内部の冷気が外部に漏れることがなくなる。
【００３０】
図３は保冷ボックス２０の下部に底面保護部材１０を装着した状態の斜視図である。なお、説明の都合上、内部の断熱パネル２６ａ〜２６ｆの図示は省略している。
【００３１】
保冷ボックス２０には折り畳みのために、底面板２４には折癖を付した８本の底面折り畳み線２７が設けられ、左側面板２２ｃ、右側面板２２ｄには折癖を付した２本ずつの側面折り畳み線２８が形成されている。底面折り畳み線２７は底面保護部材１０の第１の折り畳み線１６ａ、第２の折り畳み線１６ｂ、第３の折り畳み線１６ｃ、第４の折り畳み線１６ｄと一致する個所に設けられ、側面折り畳み線２８は底面保護部材１０の第５の折り畳み線１６ｅ、第６の折り畳み線１６ｆと重なるようにされている。
【００３２】
保冷ボックス２０に底面保護部材１０を装着するには、底面保護部材１０の一対の主固定面ファスナ１８を保冷ボックス２０の下部の一対の連結用面ファスナ２２ｆに接合し、更に一対の副固定面ファスナ１９ａを固定面ファスナ２２ｊに接合して固定する。このように固定することで、把持部２２ｈを持って図示の矢印の方向に引っ張っても、保冷ボックス２０から底面保護部材１０がずれたり、外れたりすることはない。
【００３３】
なお、副固定面ファスナ１９ａ及び固定面ファスナ２２ｊを設けない構成にしてもよいが、これらを設けることで、保冷ボックス２０を斜め方向に引っ張った際の横ずれを防止することができる。
【００３４】
また、底面保護部材１０の主面部１３は、組み立てた状態である保冷ボックス２０の断熱パネル２６及び収納物の重さにより押し付けられるので、折り畳み線１６ａ〜１６ｄは平坦状になる。
【００３５】
図４は底面保護部材１０を装着した保冷ボックス２０を折り畳み過程の斜視図である。底面保護部材１０を装着したまま保冷ボックス２０を折り畳む場合には、最初に蓋面板２３を開口し、蓋面板２３を断熱パネル２６ｃと共に背面板２２ｂの裏側に折り返えす。次に、３枚の断熱パネル２６ｆ、２６ｄ、２６ｅをこの順で断熱パネル２６ｂと平行状態になるまで回動させて、断熱パネル２６ｂ側に寄せた状態にする。
【００３６】
続いて、正面板２２ａを背面板２２ｂ側に押し込むことで、底面板２４の底面折り畳み線２７と底面保護部材１０の主面部１３の折り畳み線１６ａ〜１６ｄとが重なった状態で内側に引き込まれる。この際、折癖によって第３の折り畳み線１６ｃが頂辺と成る山形状に主面部１３と底面板２４が折り畳まれる。
【００３７】
同時に、保冷ボックス２０の左側面板２２ｃ、右側面板２２ｄの折り畳み線２８と、底面保護部材１０の側面部１４ａ、１４ｂの折り畳み線１６ｅ、１６ｆとが重なった状態で折癖によってＶ字状に凹んだ状態に折り畳まれる。同時に、第２の折り畳み線１６ｂにＶ字状の頂点である折り畳み線１６ｅが接近するようにして折り畳まれる。
【００３８】
最後に、正面板２２ａを背面板２２ｂ側に完全に押し込んだ後に、折り畳み保持バンド２３ｄの折り畳み用面ファスナ２３ｃを開閉用面ファスナ２２ｅに接合することで、保冷ボックス２０の折り畳み状態を保持することができる。
【００３９】
図５は変形例の底面保護部材１０’の斜視図である。主面部１３の裏面には、滑動条材１７ａ〜１７ｃ以外に、第２の折り畳み線１６ｂ上に配置した滑動条材１７ｄが設けられている。
【００４０】
この滑動条材１７ｄを設けることにより、滑動条材１７ａ〜１７ｄは均一に磨り減ることになる。また、各三角形の折り畳み線の頂点付近の滑動条材１７ｂと１７ｄとの間に間隙も設けているため、硬質の滑動条材１７が折り畳みの妨げとなることはない。
【００４１】
図６は変形例の底面保護部材１０”の斜視図であり、長辺１５ａ、１５ｂにも側面部１４ｃ、１４ｄを設けて、４つの側面部１４ａ〜１４ｄを筒状に形成している。そして、側面部１４ｃ、１４ｄの内側には、保冷ボックス２０の固定面ファスナ２２ｊと接合する副固定面ファスナ１８’が設けられており、取付バンド１９は備えていない。
【００４２】
このように、底面保護部材１０、１０’、１０”を保冷ボックス２０に装着することで、保冷ボックス２０の底面板２４が直接、床面に接することはなく、更に上述のように底面保護部材１０の底表面には、滑動条材１７が取り付けられているので、底面保護部材１０の基板部１１のシート材が床面等に擦れることもない。また、底面保護部材１０を装着することで、保冷ボックス２０の底面に対する断熱効果をより高めることができる。
【００４３】
底面保護部材１０の長期間の使用により、滑動条材１７が摩耗、破損したり、基板部１１のシート材が破れた場合には、新たな底面保護部材１０と交換すればよく、保冷ボックス２０はそのまま継続して使用することができる。
【００４４】
底面保護部材１０” は保冷ボックス２０の下部に対して被せるようにして、装着することができ、斜め方向に保冷ボックス２０を引っ張った際に、底面保護部材１０”の横ずれをより防止することが可能となる。
【００４５】
なお上述の実施例では、収納ボックスは保冷ボックス２０としたが、必ずしも保冷ボックス２０とすることなく、保冷機能を備えない収納ボックスに対しても適用することができる。
【００４６】
更には、底面保護部材１０は保冷ボックス２０に着脱自在とすることなく、保冷ボックス２０の下部に一体として装着することも可能である。
【符号の説明】
【００４７】
１０  底面保護部材
１１  基板部
１２  折線
１３  主面部
１４  側面部
１５  長辺
１６、２７、２８  折り畳み線
１７  滑動条材
２０  保冷ボックス
２１  断熱シート
２２ａ  正面板
２２ｂ  背面板
２２ｃ、２２ｄ  側面板
２３  蓋面板
２４  底面板
【図１】
2017001730.tif 000003
【図２】
2017001730.tif 000004
【図３】
2017001730.tif 000005
【図４】
2017001730.tif 000006
【図５】
2017001730.tif 000007
【図６】
2017001730.tif 000008